(57)【要約】【課題】ニオイの質の変化が生じにくく長期間保存でき、使用に際しては、紙に塗り込んで塗布する必要がなく、真空パックを破断して取り出せば、すぐ使えるから、取り扱いが簡単であり、収納、持ち運びに便利な臭覚検査具を実現する。【解決手段】香料を含有する固形ベース２が塗布された紙３が、破断することができしかも臭気が透過しない包装材４によって、密封状態で真空包装されて成りシート型ニオイ提示具１とし、固形ベース２は、香料成分をマイクロカプセル化してパウダー状となしたものが混入されている。【選択図】図１
0003128816.tif 000002
【実用新案登録請求の範囲】
【請求項１】
香料を含有する固形ベースが塗布された紙が、破断することができしかも臭気が透過しない包装材によって、密封状態で真空包装されて成るシート型ニオイ提示具であって、
前記固形ベースは、香料成分をマイクロカプセル化してパウダー状となしたものが混入されていることを特徴とするシート型ニオイ提示具。
【考案の詳細な説明】
【技術分野】
【０００１】
本考案は、臭覚検査、ニオイの確認、香料の調合等に必要なニオイを提示することができるシート型ニオイ提示具に関する。
【背景技術】
【０００２】
現在実施されている嗅覚検査法として、環境庁の臭気判定士の嗅覚テスト、パネル選定用基準臭や耳鼻咽喉科の患者の閾値測定に実施されているＴ＆Ｔオルファクトメータが知られている。
【０００３】
また、本考案者等は、香料成分をマイクロカプセル化してパウダー状となし、このマイクロカプセルを、無臭で紙等に付着可能な粘性を有する固形べースに混入してスティック状に成型し、収納容器に装填してなるスティック型ニオイ提示具をすでに提案している（特許文献１参照）。
【特許文献１】特許第３６９４４０９号公報
【考案の開示】
【考案が解決しようとする課題】
【０００４】
従来のＴ＆Ｔオルファクトメータは、溶液を匂い紙につけて評価するため、ハンドリングが面倒であり、また時間がかかり、多様性に欠けるなどの欠点がある。
【０００５】
スティック型ニオイ提示具は、コンパクトで携帯性に優れている等の良さはあるが、次のように改良すべき点がある。
（１）収納容器によっては蓋が必要であり、蓋が分離することで蓋が床に落ちると、医療現場で嗅覚検査を行う場合は、多数の人々が行きかう中で行われる不衛生であったり、落ちること自体がわずらわしい。
【０００６】
（２）収納容器のへりにマイクロカプセルが混入した固形ベースが付着し、検査時にそれらの付着物に触ってしまい、検査者の手にニオイがうつったりする。
（３）もし、紙に固形ベースを付着させた状態で保存した場合、１時間程度でニオイの質に変化が起き、場合によては、正確な臭覚検査の妨げとなる。
【０００７】
そこで、本考案は、これら従来例の問題を解決することを目的として、使用しやすく、実用的で、ニオイの質の変化が生じにくいシート型ニオイ提示具を実現することを課題とするものである。
【課題を解決するための手段】
【０００８】
本考案は上記課題を解決するために、香料を含有する固形ベースが塗布された紙が、破断することができしかも臭気が透過しない包装材によって、密封状態で真空包装されて成るシート型ニオイ提示具であって、前記固形ベースは、香料成分をマイクロカプセル化してパウダー状となしたものが混入されていることを特徴とするシート型ニオイ提示具を提供する。
【考案の効果】
【０００９】
この考案のシート型ニオイ提示具は、香料マイクロカプセルを含有する固形ベースを紙に塗布して成り、しかも臭気が透過しない包装材で真空パックした構成であるから、ニオイの質の変化が生じにくく、長期間保存でき、使用に際しては、香料マイクロカプセルを含有する固形ベースを紙に塗り込んで塗布する必要がなく、真空パックを破断して取り出せばすぐ使用できるから、取り扱いが簡単であり、収納、持ち運びも便利である。
【考案を実施するための最良の形態】
【００１０】
本考案に係るシート型ニオイ提示具を実施するための最良の形態を図面を参照しながら以下に説明する。
【実施例】
【００１１】
本考案のシート型ニオイ提示具１は、香料成分をマイクロカプセル化し、この香料マイクロカプセルを固形ベースに混入し、この香料マイクロカプセルを含有した固形ベース（香料マイクロカプセル含有固形ベース）２を紙３に塗布して構成されるものである。そして、このシート型ニオイ提示具１は、図１（ａ）、（ｂ）に示すように包装材４で真空パックされた構成とされている。
【００１２】
本実施例のマイクロカプセルは、界面重合法、複合コアセルベーション法、単純コアセルベーション法、界面沈殿法などの壁物質となる高分子を界面活性の形として芯物質表面に付着させるプロセスを基本とした物理化学的な製法等の周知の製法で製造する。
【００１３】
使用する香料は、嗅覚検査に用いるニオイであって、天然香料であると、合成香料であるとを問わず、また、単体でも複合でもよい。油性タイプの香料を使用したが、その他の香料であっても要するにマイクロカプセル化が可能な香料であれば用いることができる。
【００１４】
そして嗅覚検査用として、例えば、特定の果物や花や香粧品香料（調合香料）や食品のニオイ、家庭のガスのニオイや排泄・腐敗のニオイ、特定の化学物質のニオイ等の香料が用いられ、多様なニオイを提示できる。例えば、ミカン、靴下の蒸れ臭、ガソリン、墨汁、バラ、ミルク、ヒノキ、醤油、香水、バター、チョコレート、カレー、ガス、腐敗臭、メントール、木材、ニンニク等がある。
【００１５】
香料成分のマイクロカプセル化（香料カプセルパウダー）は以下の作成工程により製造される。まず、芯物質の油性香料を壁材となる水溶性高分子水溶液で乳化し、香料を５〜１０μｍの油滴として乳化分散する。次に、メラミン、プレポリマー水溶液を混合し、硬化触媒をｐＨを調整しながら滴下し、濃度調整を行ってゾル化し、冷却してゲル化する。
【００１６】
そして、高温に一定時間加熱して、香料油滴（芯物質）のまわりに膜（壁物質）を形成させる。このようにして形成されたカプセルを捕集し、カプセル洗浄を行う。次いで乾燥し、所定メッシュで篩い分けすることによりパウダー状の香料マイクロカプセルを得る。
【００１７】
メッシュは、従来の糊を加えてインク状とする場合に用いられる公知の大きさのものでもよいが、これに限定されない。香料マイクロカプセルパウダーの粒子の大きさは特に限定されないが、通常は３〜１５μｍである。
【００１８】
次ぎに、無臭の固形ベースは、本実施例で一例を示す以下のベース基材からなる。なお、固形ベースは、紙等に付着可能な粘性を有し、無臭であると共に前記マイクロカプセルパウダーを品質劣化させないものであればよく、本実施例に限定されるものではない。
【００１９】
商品名 物質名
コバラ１３５°Ｆ パラフィン ７重量％（３〜１５重量％）
マイクロクリスタリンワックス ８重量％（３〜１５重量％）
セレシン ５重量％（３〜１５重量％）
サンホワイトＰ−１５０ ワセリン ２０重量％
コスモール４３ ジイソステアリン酸ポリグリセリル １０重量％
シリコンＫＦ−５６ メチルフェニルポリシロキサン １０重量％
NIKKOL Trifat S-308 トリ２-エチルヘキサン酸グリセリル ３９．９重量％
プチルパラペン パラオキシ安息香酸エステル ０．１重量％
【００２０】
固形ベースを作るには、前記処方の各原料を秤量し、全品をボール等の容器に入れ、７０℃以上で加温し、均一に溶解する。次いで、前記製法で得られたパウダー状の香料マイクロカプセルを規定量添加し、混合する。
【００２１】
香料マイクロカプセルは固形ベースに対して１％の割合としたが、この割合は本実施例に限定されるものではなく、香料のニオイ強度により適宜増減することができ、マイクロカプセルが適度に分散して配置される程度に含有されていることが好ましい。
【００２２】
このようにして製造された香料マイクロカプセル含有固定ベース１を、４×４ｃｍ程度の矩形の紙２の中心に、例えば、直径２ｃｍ程度の円形に塗布する。この塗布の方法は、固定ベースを無臭液体で溶かして、これを噴霧ノズルで塗布してもよいし、印刷してもよい。
【００２３】
香料マイクロカプセル含有固定ベース１が塗布された紙３は、真空パック包装機により密封状態で、図１（ａ）に示すように１枚づつ包装材４で真空包装される。具体的には、香料マイクロカプセル含有固定ベース１が塗布された紙３は、包装材４内に収納され、包装材４は、両側縁部５及び上下縁部６に沿って熱溶着され、真空包装される。
【００２４】
或いは、香料マイクロカプセル含有固定ベース１が塗布された紙３は、図１（ｂ）に示すように、複数枚（図１（ｂ）の例では３枚）を一組で、包装材４を両側縁部５及び上下縁部６に沿って熱溶着することにより真空包装した構成としてもよい。
【００２５】
この場合、図１（ｃ）に示すように、香料マイクロカプセル含有固定ベース１が塗布された紙３を１枚づつ熱溶着される仕切り縁部７で仕切って真空包装した構成としてもよい。
【００２６】
包装材４は、簡単に破断してシート型ニオイ提示具１を取り出すことができるような、破断可能な材料であって、しかも臭気が透過して逃げないようなな包装材（例えばセロハン、樹脂フィルム等）である。
【００２７】
（使用方法）
次に、このシート型ニオイ提示具１の使用法について説明する。シート型ニオイ提示具１は、嗅覚障害者の診断やパネル選定その他の嗅覚検査における官能評価の対象として用いられる。嗅覚（変化）検査は、耳鼻咽喉科患者の閾値の測定に限らず、加齢による感覚機能の衰えとしての嗅覚の衰えが危険臭気の検知の減退をもたらし、食中毒や火事、ガス漏れ事故につながる虞れがあるので必要となる。
【００２８】
このような嗅覚検査、あるいは化粧品香料の調合、異臭源の判別検査等のニオイの比較検査を実施する場合に、いつでも、どこでも、誰でもが行うことができる官能検査の手段として、このシート型ニオイ提示具１が用いられる。この官能検査では、例えば、特定の果物や花や香粧品香料（調合香料）や食品のニオイ、家庭のガスのニオイや排泄・腐敗のニオイ、特定の化学物質のニオイ等の香料をマイクロカプセル化して含有する各スティック型ニオイ提示具を、セットとして多数用意しておく。
【００２９】
この官能検査に際しては、シート型ニオイ提示具の紙に塗布された香料マイクロカプセル含有固形ベースの部分を、例えば、内側に折り曲げて指で両側から擦って、前記香料マイクロカプセルを破る。これにより、紙の表面に立ちのぼるニオイを、被験者が嗅いで回答し、その正解率からニオイの同定能力を計測することができる。
【００３０】
以上、本考案に係るシート型ニオイ提示具を実施するための最良の形態を実施例に基づいて説明したが、本考案はこのような実施例に限定されることなく、実用新案登録請求の範囲記載の技術的事項の範囲内で、いろいろな実施例があることは言うまでもない。
【産業上の利用可能性】
【００３１】
以上の構成から成る本考案に係るシート型ニオイ提示具は、例えば、耳鼻科の診断、粧品香料の調合、食品のニオイ付けにおける比較検査における官能検査などに利用されるだけでなく、家庭や産業施設におけるガス、排泄・腐敗、特定の化学物質のニオイ等の検査等、各種の分野で適用可能である。
【図面の簡単な説明】
【００３２】
【図１】本考案に係るシート型ニオイ提示具の実施例を説明する図である。
【符号の説明】
【００３３】
１  シート型ニオイ提示具
２  香料マイクロカプセル含有固形ベース
３  紙
４  包装材
５  両側縁部
６  上下縁部
７  仕切縁部
【図１】
0003128816.tif 000003